(57)【要約】【課題】軽量であり低コスト品でありながら、留め付けた外壁板４０の背面に作用する負荷に対して高い安定性を持つ留め付け金具１０を得る。形成される外壁施工構造は、外壁板の留め付け状態を長期にわたり安定した状態に保持することができる。【解決手段】一枚の鋼板を折り曲げ加工して形成した留め付け金具において、上外壁板係止部２２を構成する２つの立ち上がり部２４，２４を共通の前面板部２５で連接する。また、下外壁板係止部２６を上外壁板係止部２２の中央部である基板部分により形成する。【選択図】  図１
2004339714.tif 000002
【特許請求の範囲】
【請求項１】
一枚の鋼板を折り曲げ加工して形成される留め付け金具であって、躯体側への固定部である基板部と、基板部の左右側端部に基板部より前方に突き出た状態で形成される上下方向の外壁板裏面支持部と、左右の外壁板裏面支持部の間に左右方向に形成され先端が前記外壁板裏面支持部よりも前方に位置する外壁板上下端支承部とを備えた留め付け金具において、
前記支承部は基板の下方領域を折り曲げて形成された上外壁板係止部と下外壁板係止部とを備え、上外壁板係止部は、水平部と、水平部に続く立ち上がり部と、立ち上がり部に続く前面板部とで構成され、少なくとも前記水平部と立ち上がり部は中央部が切り欠き部とされており、下外壁板係止部は前記切り欠き部に相当する基板部分で形成される水平部と水平部に続く立ち下がり部とで構成されることを特徴とする留め付け金具。
【請求項２】
一枚の鋼板を折り曲げ加工して形成される留め付け金具であって、躯体側への固定部である基板部と、基板部の左右側端部に基板部より前方に突き出た状態で形成される上下方向の外壁板裏面支持部と、左右の外壁板裏面支持部の間に左右方向に形成され先端が前記外壁板裏面支持部よりも前方に位置する外壁板上下端支承部とを備えた留め付け金具において、
前記支承部は基板の下方領域を折り曲げて形成された上外壁板係止部と下外壁板係止部とを備え、上外壁板係止部は、水平部と、水平部に続く立ち上がり部と、立ち上がり部に続く前面板部とで構成され、少なくとも前記立ち上がり部は中央部が切り欠き部とされており、下外壁板係止部は上外壁板係止部の水平部の全部または一部である水平部と前記切り欠き部に相当する基板部分で形成される立ち下がり部とで構成されることを特徴とする留め付け金具。
【請求項３】
上外壁板係止部を構成する前面板部の両側下端近傍は内側へ折曲しており、該折曲部は外壁板を留め付けたとき下外壁板を圧接するようになっていることを特徴とする請求項１または２に記載の留め付け金具。
【請求項４】
基板と各水平部との折り曲げ部には補強用のリブが形成されていることを特徴とする請求項１〜３のいずれかに記載の留め付け金具。
【請求項５】
請求項１〜４のいずれかに記載の留め付け金具がその基板部を躯体面に当接して多段に取り付けてあり、少なくとも上端縁と下端縁に実を有する外壁板が、裏面を留め付け金具の外壁板裏面支持部に当接し、上端縁の実部を上位に位置する留め付け金具の下外壁板係止部に係止し、下端縁の実部を下位に位置する留め付け金具の上外壁板係止部に係止した状態で、多段に留め付けられていることを特徴とする外壁施工構造。
【発明の詳細な説明】
【０００１】
【発明の属する技術分野】
本発明は、例えば窯業系の外壁板を建物躯体に留め付けるときに用いる留め付け金具、およびその留め付け金具を用いた外壁施工構造に関する。
【０００２】
【従来の技術】
建物の外壁施工として、図４に示すような少なくとも上端縁と下端縁に実部４４，４２を有する外壁板４０を、留め付け金具を用いて躯体側に留め付け施工することが行われる（例えば、特許文献１：特開２００１−２７０３１号公報など参照）。図５は留め付け金具の一例であり、この留め付け金具５０は、一枚の鋼板を折り曲げ加工して形成されており、留め付け時に上下の外壁板裏面支持部となる基板部５１ａ，５１ｂと、基板部５１の中央部分を連続的に折り曲げて形成される外壁板上下端支承部５２と、基板上端部の平坦部５３と、基板下端部の屈曲部５４とからなる。躯体側へ留め付け金具５０を固定するときには、平坦部５３と屈曲部５４の先端とが躯体側への固定部となる。支承部５２は、水平部５４と立ち上がり部５５とからなる上外壁板係止部５６と、水平部５７と立ち下がり部５８とからなる下外壁板係止部５９、立ち上がり部５５と立ち下がり部５８を接続する前面板部６０とからなる。
【０００３】
上外壁板は、その下端縁の実部４２を上外壁板係止部５６に係止し、かつ裏面を基板部５１ａに当接した状態で留め付けられ、下外壁板は、その上端縁の実部４４を下外壁板係止部５９に係止し、かつ裏面を基板部５１ｂに当接した状態で留め付けられる。また、この留め付け金具５０では、基板５１ａに躯体側に達する凹孔６１が形成されており、留め付け金具５２の躯体への取り付け状態を安定化している。さらに、基板５１ｂに切り起こし片６２を設けて、下外壁板の留め付け状態を安定化している。
【０００４】
特許文献２（特開平９−３０２８８９号公報）には、図６に示すように、やはり、一枚の鋼板を折り曲げ加工して形成される留め付け金具７０が示される。この留め付け金具７１は、躯体側への固定部である基板部７１と、基板部７１の左右側端部に基板部より前方に突き出た状態で形成される上下方向の外壁板裏面支持部７２，７２と、左右の外壁板裏面支持部７２，７２の間に左右方向に形成され先端が前記外壁板裏面支持部７２，７２よりも前方に位置する外壁板上下端支承部７３とを備える。前記外壁板上下端支承部７３は、基板部７１の下方領域を折り曲げて形成された水平部７４と、水平部７４の先端の両側部を上方に折り返した上方前面板部７５，７５と、その間を下方に折り曲げて形成した下方前面板部７６とからる。上外壁板は、その下端縁の実部４２を上方前面板部７５，７５に係止し、かつ裏面を外壁板裏面支持部７２，７２に当接した状態で留め付けられ、下外壁板は、その上端縁の実部４４を下方前面板部７６に係止し、かつ裏面を同様に外壁板裏面支持部７２，７２に当接した状態で留め付けられる。
【０００５】
【特許文献１】
特開２００１−２７０３１号公報
【特許文献２】
特開平９−３０２８８９号公報
【０００６】
【発明が解決しようとする課題】
図５に示される留め付け金具５０は、支承部５２が、２重に積層した水平部５４，５７、およびそれに連接する基板部５１の全横幅に亘る前面板部６０とで構成されており、安定性は高い。特に、裏面に大きな風圧がかかったときに、横幅の広い前面板部６０全体で荷重を受けることができるので、留め付け状態が不安定となることはない。しかし、水平部が２重構造となるように鋼板を折り曲げ加工していることから、やや重くかつ使用鋼板量も大きくなって高コストとなる。
【０００７】
図６に示す形態留め付け金具７０では、外壁板上下端支承部７３は一枚板構成であり、軽量化と低コスト化が図れる。また、外壁板を留め付けた状態で、外壁板裏面と基板部７１との間には外壁板裏面支持部７２の高さ分の空間が形成されるので、通気性が確保される。しかし、上外壁板の下端部は、基板部７１の１／３程度の横幅である左右２箇所の上方前面板部７５，７５で係止されており、外壁板の裏面に大きな風圧がかかって外壁板に捻れが発生したような場合、左右いずれか一方の上方前面板部７５に負荷が集中し、その部分の上方前面板部７５に変形が生じる恐れがある。変形により留め付けが不安定となる。
【０００８】
本発明は、上記のような事情に鑑みてなされたものであり、一枚の鋼板を折り曲げ加工して形成される留め付け金具において、少ない鋼板量で製造が可能であり、軽量化と低コスト化が図れると共に、留め付けた外壁板に風圧による大きな背圧が作用した場合でも、外壁板の上下端支承部に変形が生じるのを阻止し、それにより安定性の高い留め付け態様を長期にわたり保持することのできる、さらに改良された留め付け金具を提供することを目的とする。また、本発明の他の目的は、前記の留め付け金具を用いた安定性の高い外壁板施工構造を提供することを目的とする。
【０００９】
【課題を解決するための手段】
本発明による留め付け金具は、一枚の鋼板を折り曲げ加工して形成される留め付け金具であって、躯体側への固定部である基板部と、基板部の左右側端部に基板部より前方に突き出た状態で形成される上下方向の外壁板裏面支持部と、左右の外壁板裏面支持部の間に左右方向に形成され先端が前記外壁板裏面支持部よりも前方に位置する外壁板上下端支承部とを備えた留め付け金具において、前記外壁板上下端支承部は基板の下方領域を折り曲げて形成された上外壁板係止部と下外壁板係止部とを備え、上外壁板係止部は、水平部と、水平部に続く立ち上がり部と、立ち上がり部に続く前面板部とで構成され、少なくとも前記水平部と立ち上がり部は中央部が切り欠き部とされており、さらに、前記下外壁板係止部は前記切り欠き部に相当する基板部分で形成される水平部と水平部に続く立ち下がり部とで構成されることを特徴とする。
【００１０】
上記の留め付け金具では、留め付けた上外壁板の背面にかかる負荷を直接受けることとなる前記水平部に続く左右２箇所の立ち上がり部は、基板部の全横幅に相当する横幅を持つ前面板部に連接しているので、負荷は前面板部全体に分散して支持される。そのために、背圧により外壁板に捻れが生じ、いずれか一方の立ち上がり部に背圧による荷重が集中したとしても、当該その荷重は分散支持されるので、当該立ち上がり部が変形するの効果的に阻止することができ、結果として、上外壁板係止部の形状は安定的に保持される。また、下外壁板係止部は、上外壁板を構成する鋼板の一部を切り欠き、それを利用して構成されるので、すべて一枚板構成とすることができ、軽量化と低コスト化のメリットはそのまま維持される。
【００１１】
他の形態として、前記上外壁板係止部の水平部に切り欠き部を設けず、前記立ち上がり部の中央部を切り欠き部とし、その切り欠き部を下方に折り曲げることにより、下外壁板係止部の立ち下がり部としてもよい。この場合に、下外壁板係止部の水平部は上外壁板係止部の水平部の全部または一部により構成される。この形態の留め付け金具も、上外壁板係止部の水平部に続く左右２箇所の立ち上がり部は、基板部の全横幅に相当する横幅を持つ前面板部に連接している構成は備えており、上記した留め付け金具と同様の作用効果を奏することができる。
【００１２】
本発明による留め付け金具において、好ましくは、上外壁板係止部を構成する前面板部の両側下端近傍を内側（裏側）へ折曲した形状とし、該折曲部は外壁板を留め付けたとき下外壁板を圧接するようにされる。この態様では、下外壁板を外壁板裏面支持部に向けて押圧した姿勢に維持できるので留め付けが安定すると共に、外壁板にかかる背圧による荷重を、立ち下がり部に加えて左右の折曲部でも分散支持することができるので、下外壁板係止部の立ち下がり部が変形するのを効果的に阻止することができる。それにより、留め付け強度は大きくなる。さらに、折曲部の先端を下外壁板表面に差し込むような形状とすることにより、楔効果による固定安定性も確保できる。
【００１３】
さらに好ましくは、基板と各水平部との折り曲げ部には補強用のリブが形成される。このような補強リブを設けることによって、支承部の曲げ変形に対する抗力を大きくすることができ、留め付け状態は一層安定する。
【００１４】
本発明は、また、上記の留め付け金具を用いた外壁施工構造として、留め付け金具がその基板部を躯体面に当接して多段に取り付けてあり、少なくとも上端縁と下端縁に実を有する外壁板が、裏面を留め付け金具の外壁板裏面支持部に当接し、上端縁の実部を上位に位置する留め付け金具の下外壁板係止部に係止し、下端縁の実部を下位に位置する留め付け金具の上外壁板係止部に係止した状態で、多段に留め付けられていることを特徴とする外壁施工構造をも開示する。
【００１５】
上記の外壁施工構造では、留め付け金具が軽量であることから施工が容易であり、また、留め付けた外壁板の裏面には通気用の空間が形成されていて結露などの不都合が生じるのは回避できる。さらに、留め付け金具の外壁板上下端支承部は背圧に対して高い抵抗を示し容易に変形することはないので、安定した留め付け状態を長期にわたり維持することができる。
【００１６】
【発明の実施の形態】
以下、図面を参照しながら、本発明による留め付け金具とそれを用いた外壁施工構造の一実施の形態を説明する。図１は本発明による留め付け金具１０の一実施の形態を示す斜視図であり、図２はその展開図を示す。また、図３はそれを用いた外壁施工構造を示す概略断面図である。留め付け金具１０は、例えばステンレス鋼板あるいは合金メッキ鋼板などの一枚の鋼板からの打ち抜きと折り曲げ加工により形成される。
【００１７】
留め付け金具１０は、躯体側への固定部となる平板状の基板部１１と、基板部１１の左右側端部に基板部１１より数ｍｍ程度前方に突き出た状態で形成される上下方向の外壁板裏面支持部１２、１２と、該左右の外壁板裏面支持部１２，１２の間に左右方向に形成され先端が該外壁板裏面支持部１２、１２よりもさらに前方に位置する外壁板上下端支承部２１とを備える。
【００１８】
左右の外壁板裏面支持部１２，１２は同じ形状であり、基板部１１の左右方向の両端をほぼ９０゜折り曲げて形成した上下方向の立ち上がり片１３と、該立ち上がり片１３の先端を水平方向外方に９０゜折り曲げられた水平板部分１４とで構成される。後記するように、水平板部分１４が、外壁板を留め付けたときにその裏面を支持する面となる。
【００１９】
外壁板上下端支承部２１は、基板部１１の上下方向のほぼ中央から下側の領域を利用して、左右の外壁板裏面支持部１２、１２の間に水平方向に形成されており、上外壁板係止部２２と下外壁板係止部２６とからなる。上外壁板係止部２２は、基板部１１を前方に９０゜折り曲げて形成された左右方向に広がる水平部２３と、該水平部２３の先端から斜め上方に折り曲げて形成される立ち上がり部２４と、該立ち上がり部２４の上端から下方に向け基板部１１とほぼ平行となるように折り曲げて形成された前面板部２５とを有する。水平部２３の先端は外壁板裏面支持部１２の水平板部分１４よりも数ｍｍ程度前方に位置している。また、前面板部２５の左右両側の下端近傍は内側（裏側）への折曲部２５ａとされており、折曲部２５ａの先端は前記水平部２３の先端位置よりもわずかに前方に位置している。
【００２０】
水平部２３と立ち上がり部２４、およびこの例において前面板部２５の上端部における幅方向の中央部は、連続した切り欠き部３０とされており、該切り欠き部３０に相当する基板部１１の領域は、前記水平部２３よりもわずかに下方位置で前方に９０゜折り曲げて形成された第２の水平部２７とされ、さらに、該第２の水平部２７の先端は斜め下方に折り曲げられて立ち下がり部２８とされている。第２の水平部２７と立ち下がり部２８とが下外壁板係止部２６を形成する。第２の水平部２７の先端位置と水平部２３の先端位置とはほぼ同じ仮想垂直平面内に位置している。なお、図示しないが、切り欠き部３０を前記水平部２３には形成せず、立ち上がり部２４と前面板部２５の上端部における幅方向の中央部にのみ形成するようにしてもよい。その場合には、下外壁板係止部２６の前記第２の水平部２７は前記水平部２３と共通のものとなり、切り欠き部３０に相当する基板部分が下方に折り曲げられて立ち下がり部２８となる。
【００２１】
基板部１１には固定用のビス孔３１が設けてある。また、ビス孔３１の上方には断面三角形をなす膨出部３２とされており、その傾斜面３３には釘孔３４が設けられる。基板部１１と立ち上がり片１３のコーナー部には補強のためのリブ３５が適数設けられ、また、基板部１１と水平部２３および第２の水平部２７とのコーナー部にも補強のためのリブ３６が適数設けられる。
【００２２】
図３は前記留め付け金具１０を用いて、図４に示したような外壁板４０を留め付けた状態を示している。留め付け金具１０は、この例では基板部１１に形成した釘孔３４を利用して、建物躯体１に直接、あるいは図示のように胴縁２を介して釘３によって固定される。その際に、下位に位置する下外壁板４０Ａの上縁部の実４４に、留め付け金具１０の前記下外壁板係止部２６が外嵌合するようにして位置決めをし、その状態で釘孔３４を利用して固定する。釘孔３４は膨出部３２の傾斜面３３に形成されており、釘打ち時に下方に向けて留め付け金具１０全体が押し下げられるので、固定状態は安定する。また、前面板部２５の左右両側に形成した折曲部２５ａ，２５ａにより外壁板４０Ａは裏側に押し付けられるので、外壁板裏面は外壁板裏面支持部１２の水平板部分１４に密着した状態となる。場合によっては、楔作用も働いて留め付け状態は一層安定する。
【００２３】
所要個数の留め付け金具１０を同様にして水平方向に所定間隔で固定した後、上外壁板４０Ｂを、その下縁部の実４２が留め付け金具１０の前記上外壁板係止部２２の部分に内嵌合するようにして、必要枚数横方向に配置する。配置した上外壁板４０Ｂを下外壁板として、さらに、その上縁部の実４４に前記と同様にして留め付け金具１０を取り付けた後、打ち付け固定する。以下、必要な段数だけ同じ工程を繰り返すことにより、本発明による外壁施工構造は完成する。
【００２４】
上記の外壁施工構造では、留め付けた外壁板４０の裏面と建物躯体１（または胴縁２）との間には、留め付け金具１０の左右の側縁に形成した外壁板裏面支持部１２により、その高さ分の空間Ｓが形成されるので、外壁板裏面の通気は良好となり、結露などの不都合が生じることはない。さらに、何らかの事情により留め付けた上外壁板４０Ｂの裏面に大きな背圧が生じた場合でも、それによる負荷は、前記左右２箇所の立ち上がり部２４，２４が基板部１１の全横幅に相当する横幅を持つ前面板部２５に連接していることから分散し支持され、例えいずれか一方の立ち上がり部２４に集中して負荷がかかるような場合でも、外壁板支承部２１、特に、上外壁板係止部２２に変形が生じることはない。また、下外壁板４０Ａに大きな背圧が作用しても、その負荷は、下外壁板係止部２６の立ち下がり部２８と前面板部２５の左右の折曲部２５ａ，２５ａとで分散支持されるので、下外壁板係止部２６に変形が生じることも回避でき、留め付け強度は大きく向上する。そのために、本発明による外壁施工構造では、留め付け金具が軽量であることから施工が容易であるばかりでなく、留め付け状態を長期にわたり安定した状態に保持することができる。
【００２５】
【発明の効果】
上記のように本発明による留め付け金具は、軽量であり低コスト品でありながら、留め付けた外壁板の背面に作用する負荷に対して高い安定性を持つ。そのために、本発明による外壁施工構造では、外壁板の留め付け状態を長期にわたり安定した状態に保持することができる。さらに、施工も容易であり、かつ、留め付けた外壁板の裏面には通気用の空間が形成され、結露などの不都合が生じることもない。
【図面の簡単な説明】
【図１】本発明による留め付け金具の一実施の形態を示す斜視図。
【図２】図１に示す留め付け金具の展開図。
【図３】図１に示す留め付け金具を用いて外壁板を建物躯体に留め付けた状態を説明するための断面図。
【図４】外壁板の一例を示す図。
【図５】従来の留め付け金具の一例を示す図。
【図６】従来の留め付け金具の他の例を示す図。
【符号の説明】
１０…本発明による留め付け金具、１１…基板部、１２…外壁板裏面支持部、１３…立ち上がり片、１４…水平板部分、２１…外壁板上下端支承部、２２…上外壁板係止部、２３…水平部、２４…立ち上がり部、２５…前面板部、２５ａ…折曲部、２６…下外壁板係止部、２７…第２の水平部、２８…立ち下がり部、３０…切り欠き部、３１…ビス孔、３２…膨出部、３４…釘孔、３５，３６…リブ、４０…外壁板、４２…下縁部の実、４４…上縁部の実、１…躯体、２…胴縁、３…釘
【図１】
2004339714.tif 000003
【図２】
2004339714.tif 000004
【図３】
2004339714.tif 000005
【図４】
2004339714.tif 000006
【図５】
2004339714.tif 000007
【図６】
2004339714.tif 000008